(57)【特許請求の範囲】
【請求項１】
カメラ本体を有し、該カメラ本体内にて、複数の回路基板が互いに対向してカメラ本体底部に対して略垂直に立設され且つカメラ本体長手方向に沿って配置されているビデオカメラ装置であって、
前記複数の回路基板の上下方向の少なくとも一端部側を支持する基板支持ユニットと、
前記カメラ本体内に固定され、前記基板支持ユニットをカメラ本体幅方向にスライド移動させてカメラ本体外に引き出し可能にガイドするガイドユニットと、
を備え、前記カメラ本体の両側壁のうちの少なくとも前記基板支持ユニットの引き出し方向に位置する一方の側壁が取り外し可能に構成された、ビデオカメラ装置。
【請求項２】
前記基板支持ユニットは、前記回路基板の下端部側におけるカメラ本体長手方向両側部が挿入されて前記回路基板を支持するスリット部を有する下端支持板であって、コ字状断面を有して前記カメラ本体幅方向に延出する下端支持板を含む、請求項１に記載のビデオカメラ装置。
【請求項３】
前記下端支持板と前記回路基板の下端部との間にて前記下端支持板上に固定されると共に、前記回路基板に設けられる回路基板コネクタを介して前記回路基板と電気的に接続されるメイン基板を更に備える、請求項２に記載のビデオカメラ装置。
【請求項４】
前記メイン基板と電気的に接続可能なサブコネクタを有し、前記回路基板と対向して前記カメラ本体内に配置されるサブ基板を更に備え、
前記基板支持ユニットが引き出し方向にスライド移動されると、前記メイン基板と前記サブ基板との前記サブコネクタを介した電気的な接続が解除される、請求項３に記載のビデオカメラ装置。
【請求項５】
前記カメラ本体の前端部に接続されるレンズ部を更に備え、
前記カメラ本体は、
その内部に撮像素子を備えると共に前記レンズ部が接続されるセンサユニットと、
前記センサユニットの後端部が着脱可能に接続されると共に、内部に前記基板支持ユニット及び前記ガイドユニットが配置され、且つ、前記引き出し方向に位置する前記側壁を有するメインユニットと、
を含む、請求項１〜４のいずれか一つに記載のビデオカメラ装置。
【請求項６】
前記カメラ本体の長手方向中央部に設けられる送風ファンであって、前記カメラ本体の前方側の開口から吸入し前記カメラ本体の後方側の開口から排出する空気流れを前記カメラ本体内に形成する送風ファンを更に備える、請求項１〜５のいずれか一つに記載のビデオカメラ装置。
【請求項７】
前記複数の回路基板は、電源制御用回路基板を含み、
前記電源制御用回路基板は、前記基板支持ユニットにおける引き出し方向の端部とは反対の端部側に配置されている、請求項１〜６のいずれか一つに記載のビデオカメラ装置。
【請求項８】
前記基板支持ユニットは、引き出し方向の終端位置に引き出された状態で、前記ガイドユニットから着脱可能に構成されている、請求項１〜７のいずれか一つに記載のビデオカメラ装置。
【発明の詳細な説明】
【技術分野】
【０００１】
本発明は、カメラ本体内に複数の回路基板が配置されたビデオカメラ装置に関する。
【背景技術】
【０００２】
例えば、テレビ局のスタジオ等においては、ビデオカメラ装置が用いられている。この種のビデオカメラ装置のカメラ本体内には、映像処理用の回路基板、音声処理用の回路基板及び電源制御用の回路基板等の各種の回路基板が設けられている。
【０００３】
この種のビデオカメラ装置としては、例えば、特許文献１に記載されたビデオカメラ装置が知られている。この特許文献１に記載されたビデオカメラ装置では、複数の前記回路基板がカメラ本体内に互いに対向して略垂直に立設されると共にカメラ本体長手方向に沿って配置されている。そして、このビデオカメラ装置では、カメラ本体の上側カバーが取り外し可能に構成されている。これにより、回路基板の交換や修理ができるように構成されている。
【先行技術文献】
【特許文献】
【０００４】
【特許文献１】特開２０１１−２２８７６９号公報
【発明の概要】
【発明が解決しようとする課題】
【０００５】
しかしながら、特許文献１に記載された従来のビデオカメラ装置では、カメラ本体内に互いに対向して立設して配置された回路基板の交換や修理等のメンテナンスを行う際には、カメラ本体の上側カバーを取り外して開口された狭い開口部を介して作業することになる。このため、回路基板をこの開口部を介してメンテナンス作業を行うことが困難な場合があり、その工夫が求められている。
【０００６】
本発明は上記問題点に着目してなされたもので、カメラ本体内の回路基板を容易にメンテナンスすることが可能な構造を有したビデオカメラ装置を提供することを目的とする。
【課題を解決するための手段】
【０００７】
本発明の一側面によるビデオカメラ装置は、カメラ本体を有し、該カメラ本体内にて、複数の回路基板が互いに対向してカメラ本体底部に対して略垂直に立設され且つカメラ本体長手方向に沿って配置されている。そして、このビデオカメラ装置は、前記複数の回路基板の上下方向の少なくとも一端部側を支持する基板支持ユニットと、前記カメラ本体内に固定され、前記基板支持ユニットをカメラ本体幅方向にスライド移動させてカメラ本体外に引き出し可能にガイドするガイドユニットと、を備え、前記カメラ本体の両側壁のうちの少なくとも前記基板支持ユニットの引き出し方向に位置する一方の側壁が取り外し可能に構成された。
【発明の効果】
【０００８】
前記一側面によるビデオカメラ装置では、複数の回路基板の上下方向の少なくとも一端部側を支持する基板支持ユニットを、カメラ本体内に固定されるガイドユニットによって、カメラ本体幅方向にスライド移動させてカメラ本体外に引き出し可能にガイドしている。そして、少なくとも基板支持ユニットの引き出し方向に位置する前記一方の側壁が取り外し可能である。したがって、回路基板を交換等する場合には、作業者は、前記一方の側壁を取り外した後、基板支持ユニットをスライド移動させてカメラ本体外に引き出すことができる。そして、作業者は、カメラ本体外に引き出された基板支持ユニット上に支持されている複数の回路基板に容易にアクセスすることができるため、所定の回路基板に対するメンテナンス作業を容易に行うことができる。
【０００９】
これにより、カメラ本体内の回路基板を容易にメンテナンスすることが可能な構造を有したビデオカメラ装置を提供することができる。
【図面の簡単な説明】
【００１０】
【図１】本発明の一実施形態によるビデオカメラ装置の斜視図である。
【図２】前記ビデオカメラ装置を別の角度から視た斜視図である。
【図３】前記ビデオカメラ装置のカメラ本体の一方の側壁を取り外した状態を示した要部斜視図である。
【図４】前記一方の側壁を取り外したカメラ本体の側面図である。
【図５】図４に示すカメラ本体を前方から視た正面図である。
【図６】前記カメラ本体内に備えられる基板スライド機構部単体を前方から視た正面図である。
【図７】引き出し状態の前記基板スライド機構部単体の正面図である。
【図８】図７に示す基板スライド機構部単体の斜視図である。
【図９】図８に示す基板スライド機構部を別の角度から視た斜視図である。
【図１０】図８に示す基板スライド機構部を更に別の角度から視た斜視図である。
【図１１】前記カメラ本体において基板スライド機構部の基板支持ユニットが引き出された状態を示す斜視図である。
【図１２】図１１に示すカメラ本体を前方から視た正面図である。
【図１３】回路基板のメンテナンス作業を説明するための図である。
【発明を実施するための形態】
【００１１】
以下、本発明の実施形態を図面に基づいて説明する。
図１及び図２は、本発明の一実施形態によるビデオカメラ装置１００の全体を示し、図１は前方の斜め上方から視た斜視図であり、図２は前方の斜め下方から視た斜視図である。また、図３は、ビデオカメラ装置１００の要部の内部を示した要部斜視図であり、図４は、前記要部の側面図である。
なお、以下では、ビデオカメラ装置１００について、前後・左右・上下を、各図に示すように便宜上規定して、説明する。なお、前後は後述のレンズ部１側を前とし、左右はビデオカメラ装置１００の前方から視たときの方向を示している。
【００１２】
本実施形態において、ビデオカメラ装置１００は、図１及び図２に示すように、レンズ部１と、カメラ本体２とを含んで構成され、例えばテレビ局等のスタジオにおいて使用されるものとする。
【００１３】
前記レンズ部１は、カメラ本体２の前端部に設けられたレンズマウントを介してカメラ本体２に接続されている。レンズ部１の胴部にはズームスイッチ等が設けられたグリップ部３が設けられている。
【００１４】
前記カメラ本体２は、レンズ部１を介して入力される映像と図示省略したマイク部を介して入力される音声を電気信号に変換して外部に出力するものであり、センサユニット４とメインユニット５とを含んで構成されている。また、カメラ本体２は、レンズ部１の前後方向に延びる光軸に対して垂直な断面視で概ね矩形筒状の断面を有し、その内部空間に各種機器が備えられている。詳しくは、カメラ本体２内には、複数の回路基板Ｃ（図３等参照）が互いに対向してカメラ本体底部２１に対して略垂直に立設（つまり、上下方向に延びるように立設）され且つカメラ本体長手方向（つまり、前後方向）に沿って配置されている。
【００１５】
前記センサユニット４は、その内部にＣＣＤ等の撮像素子を備えると共にレンズ部１が接続され、レンズ部１を通じて入射される光を受光して電気信号に変換し、その信号を、例えば、カメラ本体２に出力するものである。センサユニット４の前端部にはレンズマウントが設けられ、センサユニット４の後端部はメインユニット５の前端部と接続される。また、センサユニット４の上面には、把持部６が設けられている。この把持部６には、その前端部に設けられる固定部７を介して、ビューファインダ８が取り付けられている。
【００１６】
前記メインユニット５は、図３及び図４に示すように、その内部に適宜枚数の回路基板Ｃ等の各種機器を備え、映像信号及び音声信号を外部に出力する本体となるものであり、その前端部にセンサユニット４の後端部が着脱可能に接続される。また、メインユニット５内には、複数の回路基板Ｃ（本実施形態では、後述のＣ１〜Ｃ３）を支持した状態でカメラ本体幅方向（つまり、左右方向）にスライド移動させてカメラ本体２外に引き出し可能に構成された図５に示す基板スライド機構部５０が設けられている。基板スライド機構部５０の構造については後述する。
【００１７】
また、メインユニット５の外殻は、内部に基板スライド機構部５０等の各種機器を収納可能な収納空間を有する箱体５ａからなり、この箱体５ａのカメラ本体幅方向の両側壁のうちの少なくとも一方の側壁（本実施形態では、右側壁）５ｂ（図１及び図２参照）は、図３及び図４に示すように箱体５ａから取り外し可能に構成されている。この一方の側壁５ｂを以下では右側壁５ｂという。この右側壁５ｂは、カメラ本体２の両側壁のうちの前記複数の回路基板Ｃの引き出し方向（つまり、本実施形態では右側）に位置する側壁である。
本実施形態では、このようにして、センサユニット４の後端部が着脱可能に接続されると共に、内部に基板スライド機構部５０が配置され、且つ、引き出し方向に位置する取り外し可能な右側壁５ｂを有するメインユニット５が構成されている。
【００１８】
また、本実施形態では、図４、及び、図４に示すメインユニット５を前方から視た正面図である図５に示すように、箱体５ａの前端部には、矩形状の開口５ｃが開口されている。また、箱体５ａの前端部における開口５ｃを囲む部位には、前方に向かって突出する突出部５ｄが形成されている。図示を省略するが、センサユニット４の後端部には、メインユニット５の突出部５ｄが嵌合可能な嵌合部が開口されている。そして、センサユニット４の後端部の端面とメインユニット５の前端部の端面とが当接した状態で、メインユニット５の突出部５ｄがセンサユニット４の前記嵌合部に嵌合する。そして、この状態で、メインユニット５とセンサユニット４とがボルト等の適宜の締結手段によって締結されることにより、メインユニット５とセンサユニット４とが連結されてなるカメラ本体２が構成される。また、この突出部５ｄの内側（つまり開口５ｃ内）には、図４に示すように、送風ファン９が組み込まれている。なお、図５では、図の簡略化のため送風ファン９は図示省略されている。この送風ファン９については後述する。
【００１９】
次に、前記基板スライド機構部５０の構造について、図４〜図１０を参照して説明する。図６〜図１０は、基板スライド機構部５０単体をそれぞれ示す。図６及び図７は基板スライド機構部５０を前方から視た正面図であり、図６は収納状態を、図７は引き出し状態を示す。また、図８〜図１０は基板スライド機構部５０単体の斜視図であり、図８は前方の斜め右上方から、図９は前方の斜め左上方から、図１０は前方の斜め右下方から視た斜視図である。
【００２０】
基板スライド機構部５０は、図６に示すように、基板支持ユニット５１と、ガイドユニット５２とを含んで構成され、これらが一体となってメインユニット５内で適宜に取り付けられている。
【００２１】
ここで、本実施形態では、前記回路基板Ｃとして、音声処理用回路基板Ｃ１、映像処理用回路基板Ｃ２、及び、電源制御用回路基板Ｃ３が、基板支持ユニット５１上にて、互いに対向して略垂直に立設され且つカメラ本体長手方向（つまり、前後方向）に沿って配置されている。詳しくは、基板支持ユニット５１における引き出し方向の端部（つまり、右側端部）側から順に、音声処理用回路基板Ｃ１、映像処理用回路基板Ｃ２、電源制御用回路基板Ｃ３が互いに間隔を空けて並設されている。したがって、本実施形態では、これら３個の回路基板Ｃ１〜Ｃ３のうち、発熱量の一番多い電気部品が実装されている電源制御用回路基板Ｃ３は、基板支持ユニット５１における引き出し方向の端部とは反対の端部側（本実施形態では左端部側）に配置されている。言い換えると、電源制御用回路基板Ｃ３は、メインユニット５内に配置された状態でメインユニット５の内部空間において、他の回路基板Ｃ１及びＣ２よりもレンズ部１の光軸側に寄せて配置されている。なお、音声処理用回路基板Ｃ１は二つの基板を連結して一体的に構成されている。
【００２２】
前記基板支持ユニット５１は、複数の回路基板Ｃ（Ｃ１〜Ｃ３）の上下方向の少なくとも一端部側を支持するものである。本実施形態では、基板支持ユニット５１は、回路基板Ｃの上下両端部を支持する場合を一例に挙げて説明する。
【００２３】
前記ガイドユニット５２は、カメラ本体２（本実施形態ではメインユニット５）内に固定され、基板支持ユニット５１をカメラ本体幅方向にスライド移動させてカメラ本体２外に引き出し可能にガイドするものである。また、本実施形態では、メインユニット５の箱体５ａから取り外し可能な右側壁５ｂは、ガイドユニット５２による基板支持ユニット５１の引き出し方向に位置している。
【００２４】
本実施形態では、基板支持ユニット５１は、具体的には、下端支持板５１ａと、下端支持板載置台５１ｂと、上端支持板５１ｃとを含んで構成され、図７〜図１０に示すように、ガイドユニット５２によってガイドされて、カメラ本体幅方向の一方向（右方向）に引き出し可能に構成されている。
【００２５】
前記下端支持板５１ａは、図４、図８〜図１０に示すように、概ねコ字状断面を有してカメラ本体幅方向（左右方向）に延出し、回路基板Ｃの下端部側を支持するものであり、下端支持板５１ａ上に固定される。下端支持板５１ａは、回路基板Ｃの下端部側におけるカメラ本体長手方向両側部が挿入されて回路基板Ｃを支持するスリット部５１ａ１を有する。詳しくは、このスリット部５１ａ１は、下端支持板５１ａの一対の側壁部位に開口され、その上端部から下方に向かって伸びるスリット状の複数の溝からなる。
【００２６】
前記下端支持板載置台５１ｂは、図４及び図１０に示すように、概ねコ字状断面を有してカメラ本体幅方向（左右方向）に延出してなり、下端支持板５１ａ用の載置台となるものである。また、この下端支持板載置台５１ｂは、その一対の側壁部位がガイドユニット５２の後述する下側ガイド板５２ａによってスライド移動可能にガイドされている。
【００２７】
前記上端支持板５１ｃは、図４、図７〜図９に示すように、概ねコ字状断面を有してカメラ本体幅方向（左右方向）に延出し、回路基板Ｃの上端部を覆うように配置されている。そして、上端支持板５１ｃは、図８及び図９に示すように、回路基板Ｃの上端部が挿入されて回路基板Ｃを支持するスリット部５１ｃ１を有する。詳しくは、このスリット部５１ｃ１は、上端支持板５１ｃの一対の側壁部位を連結する底板部位に開口され、カメラ本体幅方向に伸びるスリット状の複数の溝からなる。また、この上端支持板５１ｃは、その一対の側壁部位がガイドユニット５２の後述する上側ガイド板５２ｃによってスライド移動可能にガイドされている。
【００２８】
また、本実施形態では、ガイドユニット５２は、具体的には、下側ガイド板５２ａと、下側ガイド板載置台５２ｂ、上側ガイド板５２ｃとを含んで構成されている。
【００２９】
前記下側ガイド板５２ａは、図４及び図１０に示すように、概ねコ字状断面を有してカメラ本体幅方向（左右方向）に延出し、下端支持板載置台５１ｂの下側から下端支持板載置台５１ｂの一対の側壁部位を挟むように配置されている。下側ガイド板５２ａは、下端支持板載置台５１ｂの一対の側壁部位をスライド移動可能にガイドしている。また、下側ガイド板５２ａの一対の側壁部位の右端部には、図９に示すように、基板支持ユニット５１のスライド移動を規制するストッパ部５２ａ１が突設されている。このストッパ部５２ａ１が、下端支持板５１ａの一対の側壁部位の左端部に突設される当接部５１ａ２に当接することで、基板支持ユニット５１の引き出し方向のスライド移動が規制される。つまり、基板支持ユニット５１の引き出し方向の終端位置はこのストッパ部５２ａ１により規定される。
【００３０】
前記下側ガイド板載置台５２ｂは、図４、図６〜図１０に示すように、下側ガイド板５２ａの下方にてカメラ本体幅方向（左右方向）に延出してなり、下側ガイド板５２ａ用の載置台となると共に、基板スライド機構部５０全体の底部となるものである。この下側ガイド板載置台５２ｂは、メインユニット５の箱体５ａの底部側に固定される。
【００３１】
前記上側ガイド板５２ｃは、図４、図７〜図９に示すように、概ねコ字状断面を有してカメラ本体幅方向（左右方向）に延出し、上端支持板５１ｃの上側から上端支持板５１ｃの一対の側壁部位を挟むように配置されている。この上側ガイド板５２ｃは、上端支持板５１ｃの一対の側壁部位をスライド移動可能にガイドしている。この上側ガイド板５２ｃは、メインユニット５の箱体５ａの上壁部側に固定される。
【００３２】
また、本実施形態では、基板支持ユニット５１は、引き出し方向の終端位置に引き出された状態（図７〜図１０に示す状態）で、ガイドユニット５２から着脱可能に構成されている。詳しくは、この終端位置において基板支持ユニット５１の右端部を上方に上げて傾けた場合に、当接部５１ａ２とストッパ部５２ａ１との係合が解除されるように、当接部５１ａ２及びストッパ部５２ａ１が形成されている。したがって、図１１及び図１２に示すように、基板スライド機構部５０がメインユニット５内に配置されて、基板支持ユニット５１が引き出された状態において、基板支持ユニット５１を傾けることにより、基板支持ユニット５１をカメラ本体２（メインユニット５）から適宜に取り外すことができる。
【００３３】
ここで、本実施形態では、メインユニット５内には、図４〜図１０に示すように、各回路基板Ｃの他に少なくともメイン基板Ｍとサブ基板Ｓと伝送系基板Ｔが配置されている。
【００３４】
前記メイン基板Ｍは、各基板Ｃ（Ｃ１〜Ｃ３）、Ｓ、Ｔが集約して接続される基板である。このメイン基板Ｍは、例えば、図４、図８〜図１０に示すように、下端支持板５１ａと回路基板Ｃの下端部との間にて下端支持板５１ａ上に固定されると共に、回路基板Ｃに設けられる回路基板コネクタＣＮを介して回路基板Ｃと電気的に接続される。詳しくは、回路基板コネクタＣＮは、各回路基板Ｃの下端側に設けられ、メイン基板Ｍにおける各回路基板コネクタＣＮに対応する位置に設けられる第１メインコネクタＭ１と接続される。また、メイン基板Ｍは、図５〜図７、図９に示すように、サブ基板Ｓの後述するサブコネクタＳ１と電気的に接続可能な第２メインコネクタＭ２をその左端側に備えている。
【００３５】
前記サブ基板Ｓは、図５〜図１０に示すように、メイン基板Ｍと電気的に接続可能なサブコネクタＳ１を有し、回路基板Ｃと対向してメインユニット５内に配置される。詳しくは、サブ基板Ｓは、その下端部が下側ガイド板５２ａの一対の側壁部位の左端部に固定され、上端部が上側ガイド板５２ｃの一対の側壁部位の左端部に固定されている。つまり、サブ基板Ｓは、上側ガイド板５２ｃの一端部と下側ガイド板５２ａの一端部との間を連結する連結部材でもある。図５及び図６に示すように、回路基板Ｃを支持した基板支持ユニット５１を収納方向（左側）にスライド移動させ、サブ基板ＳのサブコネクタＳ１とメイン基板Ｍの第２メインコネクタＭ２を接続させることにより、メイン基板Ｍとサブ基板Ｓが電気的に接続される。また、図７〜図１０に示すように、基板支持ユニット５１が引き出し方向にスライド移動されると、サブコネクタＳ１と第２メインコネクタＭ２との接続が解除され、メイン基板Ｍとサブ基板ＳとのサブコネクタＳ１を介した電気的な接続が解除される。また、サブ基板Ｓは、その背面（左面）側に設けられる背面側サブコネクタＳ２を介して伝送系基板Ｔと電気的に接続されている。
【００３６】
前記伝送系基板Ｔは、図５〜図１０に示すように、サブ基板Ｓの背面と離間して、サブ基板Ｓと並設される基板であり、主に伝送系の制御を行う基板である。この伝送系基板Ｔは、詳しくは、下側ガイド板載置台５２ｂ上に配置され、その上端部がサブ基板Ｓと共に下側ガイド板５２ａの一対の側壁部位の左端部に固定され、その下端部がサブ基板Ｓと共に上側ガイド板５２ｃの一対の側壁部位の左端部に固定されている。また、この伝送系基板Ｔは、メインユニット５内に配置される基板（Ｃ、Ｍ、Ｓ、Ｔ）の中で最も発熱する基板であり、その背面（左面）には、放熱用のヒートシンクＴ１が取り付けられている。
【００３７】
図５及び図６に示すように、メインユニット５内に配置されるメイン基板Ｍ以外の基板（Ｃ１〜Ｃ３、Ｓ、Ｔ）は互いに対向してカメラ本体底部２１に対して略垂直に立設され且つカメラ本体長手方向に沿って配置されている。そして、これらの基板（Ｃ１〜Ｃ３、Ｓ、Ｔ）のうち、発熱量の比較的多い伝送系基板Ｔ、電源制御用回路基板Ｃ３が、カメラ本体幅方向の中央側に位置するように配置されている。
【００３８】
次に、前述した送風ファン９について説明する。
この送風ファン９は、前述したように、メインユニット５の前端部に設けられる突出部５ｄの内側（つまり開口５ｃ）に組み込まれている。したがって、センサユニット４とメインユニット５とが連結された状態では、送風ファン９は、カメラ本体２の長手方向中央部に設けられている。この送風ファン９は、カメラ本体２の前方側の開口から吸入しカメラ本体２の後方側の開口から排出する空気流れをカメラ本体２内に形成する。
本実施形態では、例えば、カメラ本体２の前方側の開口として、センサユニット４における左側壁の前端、前端部、底部、右側の壁下端に、吸気口が開口され、これらの開口から外気がセンサユニット４内に吸入される。そして、カメラ本体２の後方側の開口として、メインユニット５における左側壁の後端、左側壁の壁面に、排気口が開口され、これらの開口からカメラ本体２内を流通した空気が排気される。
【００３９】
次に、本実施形態のビデオカメラ装置１００のカメラ本体２内の回路基板Ｃについての作業者によるメンテナンス作業について、図１３を参照して説明する。
【００４０】
まず、作業者は、図１３（Ａ）に示すように、メインユニット５の右側壁５ｂを取り外す。その後、図１３（Ｂ）に示すように、基板支持ユニット５１を引き出し方向の終端位置まで引き出す。その後、上端支持板５１ｃを取り外す。この状態で、各回路基板Ｃ１〜Ｃ３のうちメンテナンス対象の基板（以下の説明では、対象基板をＣ３とする）を持ち上げて、対象基板Ｃ３とメイン基板Ｍとの接続を解除して取り外す。そして、取り外した対象基板Ｃ３に対して修理を行ったり、対象基板Ｃ３を新しい基板に交換したりすることができる。また、例えば、対象基板Ｃ３に対する修理や点検の際に、図１３（Ｃ）に示すように、対象基板Ｃ３とメイン基板Ｍとの間に、第１延長基板Ｅ１を接続することもできる。これにより、対象基板Ｃ３を上方に移動させた位置で安定して支持することができる上、作業者は対象基板Ｃ３の表裏両面から容易にアクセスでき、対象基板Ｃ３上のデバイスの修理や点検をより作業性よく行うことができる。また、対象基板Ｃ３に対する点検等の際に、図１３（Ｃ）に示すように、メイン基板Ｍとサブ基板Ｓとの間に第２延長基板Ｅ２を接続することもできる。これにより、対象基板Ｃ３に対する点検を、第１延長基板Ｅ１を介して対象基板Ｃ３をメイン基板Ｍに電気的に接続すると共に、第２延長基板Ｅ２を介してメイン基板Ｍをサブ基板Ｓに電気的に接続した状態で行うことができるため、実際の使用状態に疑似的に合わせて対象基板Ｃ３の動作チェック等の点検を確実に行うことができる。
【００４１】
かかる本実施形態によるビデオカメラ装置１００によれば、複数の回路基板Ｃ（Ｃ１〜Ｃ３）の上下方向の少なくとも一端部側（下端部側）を支持する基板支持ユニット５１を、カメラ本体２内に固定されるガイドユニット５２によって、カメラ本体幅方向にスライド移動させてカメラ本体２外に引き出し可能にガイドしている。そして、基板支持ユニット５１の引き出し方向に位置する一方の側壁（右側壁）５ｂが取り外し可能である。したがって、回路基板Ｃを交換等する場合には、作業者は、一方の側壁を取り外した後、基板支持ユニットをスライド移動させてカメラ本体２外に引き出すことができる。そして、作業者は、カメラ本体２外に引き出された基板支持ユニット５１上に支持されている複数の回路基板Ｃ（Ｃ１〜Ｃ３）に容易にアクセスすることができるため、所定の回路基板Ｃ（Ｃ１、Ｃ２、Ｃ３）に対するメンテナンス作業を容易に行うことができる。
【００４２】
これにより、カメラ本体２内の回路基板Ｃ（Ｃ１〜Ｃ３）を容易にメンテナンスすることが可能な構造を有したビデオカメラ装置を提供することができる。
【００４３】
また、本実施形態においては、基板支持ユニット５１は、回路基板Ｃの下端部側におけるカメラ本体長手方向両側部が挿入されて回路基板Ｃを支持するスリット部５１ａ１を有する下端支持板５１ａであって、コ字状断面を有してカメラ本体幅方向に延出する下端支持板５１ａを含む構成とした。これにより、複数の回路基板Ｃを容易に位置決めして並設した状態で引き出すことができ、引き出された回路基板Ｃを容易に上方に引き上げて取り外すことができる。
【００４４】
また、本実施形態においては、メイン基板Ｍと電気的に接続可能なサブコネクタＳ１を有し、回路基板Ｃと対向してカメラ本体２内に配置されるサブ基板Ｓを更に備え、基板支持ユニット５１が引き出し方向にスライド移動されると、メイン基板Ｍとサブ基板ＳとのサブコネクタＳ１を介した電気的な接続が解除される構成とした。これにより、メイン基板Ｍとカメラ本体２内の電気的な接続の解除を、容易に行うことができる。
【００４５】
また、本実施形態においては、カメラ本体２は、レンズ部１が接続されるセンサユニット４と、センサユニット４の後端部が着脱可能に接続されるメインユニット５とに分離可能に構成されている。これにより、カメラ本体２のうちの前部又は後部のいずれか一方をそのまま新しいユニットに交換することもできる。
また、メインユニット５側に、基板支持ユニット５１及びガイドユニット５２が配置される構成とした。これにより、カメラ本体２の前後に分離されるユニットのうち、比較的多くの基板が内部に配置されているメインユニット５のメンテナンス性を向上させることができる。
【００４６】
また、本実施形態においては、カメラ本体２の長手方向中央部に送風ファン９を設け、この送風ファン９により、カメラ本体２の前方側の開口から吸入しカメラ本体２の後方側の開口から排出する空気流れをカメラ本体２内に形成する構成とした。つまり、カメラ本体２内において、空気はセンサユニット４からメインユニット５に向かって一方向に流れている。これにより、メインユニット５内において、主に、各基板（Ｃ１、Ｃ２、Ｃ３、Ｓ、Ｔ、Ｓ）の間を流通する空気流れを形成させることができる。また、比較的発熱量の多い伝送系基板Ｔ、電源制御用回路基板Ｃ３を、送風ファン９の中心軸側に寄せて配置させる構成であるため、これらの基板を効率よく冷却することができる。
【００４７】
また、本実施形態においては、電源制御用回路基板Ｃ３は、基板支持ユニット５１における引き出し方向の端部とは反対の端部側に配置されているため、他の回路基板Ｃ１、Ｃ２よりも効率的に冷却することができる。
【００４８】
また、本実施形態においては、基板支持ユニット５１は、引き出し方向の終端位置に引き出された状態で、ガイドユニット５２から着脱可能に構成されている。これにより、基板支持ユニット５１全体を取り外して、メンテナンス等を行うことができる。
【００４９】
また、本実施形態では、基板支持ユニット５１は、基板支持ユニット５１は、回路基板Ｃの上下両端部を支持する構成とした。これにより、回路基板Ｃを上下から確実に支持した状態でカメラ本体２内に配置させることができる。
なお、基板支持ユニット５１は、これに限らず、複数の回路基板Ｃ（Ｃ１〜Ｃ３）の上下方向の少なくとも一端部側を支持すればよい。
【００５０】
また、本実施形態では、基板支持ユニット５１は、３枚の回路基板Ｃを支持するものとしたが、これに限らず、適宜の枚数の回路基板Ｃを支持することができる。また、メイン基板Ｍは、基板支持ユニット５１に設ける構成としたが、基板支持ユニット５１以外の場所に配置してもよい。
【００５１】
また、本実施形態では、基板支持ユニット５１及びガイドユニット５２からなる基板スライド機構部５０をメインユニット５側に設ける構成としたが、これに限らず、センサユニット４側に設けてもよいし、メインユニット５及びセンサユニット４のいずれにも設けるようにしてもよい。また、基板支持ユニット５１の引き出し方向はカメラ本体２の右側壁５ｂ側であるものとしたが、これに限らず、左側壁側に引き出すように構成してもよい。また、カメラ本体２内に配置される機器のレイアウトを適宜に変更し、基板支持ユニット５１を一方向に限らず、両方向（つまり、右側及び左側）に引き出し可能に構成してもよい。
【００５２】
以上、本発明の好ましい実施形態について説明したが、本発明は上記実施形態に制限されるものではなく、本発明の技術的思想に基づいて種々の変形及び変更が可能である。
【符号の説明】
【００５３】
１・・・・・・レンズ部
２・・・・・・カメラ本体
４・・・・・・センサユニット
５・・・・・・メインユニット
５ｂ・・・・・右側壁（引き出し方向に位置する一方の側壁）
９・・・・・・送風ファン
５１・・・・・基板支持ユニット
５１ａ・・・・下端支持板
５１ａ１・・・スリット部
５２・・・・・ガイドユニット
１００・・・・ビデオカメラ装置
Ｃ・・・・・・回路基板
Ｃ３・・・・・電源制御用回路基板
ＣＮ・・・・・回路基板コネクタ
Ｍ・・・・・・メイン基板
Ｓ・・・・・・サブ基板
Ｓ１・・・・・サブコネクタ
【図１】
0006660260.tif 000002
【図２】
0006660260.tif 000003
【図３】
0006660260.tif 000004
【図４】
0006660260.tif 000005
【図５】
0006660260.tif 000006
【図６】
0006660260.tif 000007
【図７】
0006660260.tif 000008
【図８】
0006660260.tif 000009
【図９】
0006660260.tif 000010
【図１０】
0006660260.tif 000011
【図１１】
0006660260.tif 000012
【図１２】
0006660260.tif 000013
【図１３】
0006660260.tif 000014